(57)【要約】【課題】ポケットに入れて携行する手帳を軽量化する。【解決手段】カレンダーに則る手帳の年間ページ紙を１カ月乃至は４カ月毎に分けて分冊化し、当面の必要な分冊子を選択し表紙体へ着脱自在に設置して手帳体を構成し、前後の余分ページ紙は外しておくことで携行時の軽量化手帳を実現する。月々の進行で必要に合せて当月を中心とした綴じになるように入替える。【選択図】図２
2015182458.tif 000002
【特許請求の範囲】
【請求項１】
手帳における少なくとも１２カ月分カレンダーに則り順次これを表示するページ紙の日記形式部において、
前記日記形式部を１カ月以上４カ月以下の範囲から選ばれる月数分に分冊化し、
前記分冊のうちから少なくとも当月の属する分冊子（７）を表紙（２）に着脱自在に綴じ込み設置して手帳体（Ａ）を構成し、
前記手帳体（Ａ）は月々の進行に合せて当月分冊子に綴じ替え維持ができるものであり、上記構成によって通年軽量化を実現したことを特長とした軽量化手帳。
【請求項２】
前記請求項１における分冊子（７）を着脱自在に設置する綴じ込み手段が、紐、織物、鋼線、鋼鈑、樹脂板の中から選ばれる何れかの綴じ部材（６）を介することによって構成される綴じ具（１）の骨格部を、表紙（２）と表紙カバー（５）の間に介在させ、
前記表紙（２）を見開いた上に前記分冊子（７）を任意に見開いて重ね、
前記綴じ部材（６）によって前記分冊子（７）のページの綴じ目部を押えてその端部を前記綴じ具（１）の下端係止部（４）に係止することで前記分冊子（７）を表紙（２）に綴じ込み固定するものであることを特長とした軽量化手帳。
【発明の詳細な説明】
【技術分野】
【０００１】本発明は手帳に関するものである。
【背景技術】
【０００２】  種々の使い易い手帳が提案されているがカレンダー式のものでは１年間の記録頁を１冊にまとめたものが一般的である。【０００３】  ポケットに入れて携帯する手帳は小型であっても１２か月分は確保された一冊となっていることから一定の重量を有する。
【先行技術文献】
【０００４】
【特許文献１】特開２００６−２６４２９１号公報
【発明の概要】
【発明が解決しようとする課題】
【０００５】  一般的なポケット手帳においても普通は充分な頁紙数があり、日記帳形式であれば１２カ月分の紙数がそれなりの重量となり、その重量が胸ポケットに年間通じて常時あると肩こりなどの健康被害に至ることもあった。【０００６】このような手帳の現状において、常に携行しなければならないポケット手帳は日々重く感じられる物であり、手帳が本来的に備える記録容量やその質を損なうことなく劇的な軽量化を図り、嵩張りを少なくして身体的負担を軽くすることが本発明の目的であり課題である。
【課題を解決するための手段】
【０００７】  手帳における少なくとも１２カ月分カレンダーに則り順次これを表示するページ紙の日記形式部において、
前記日記形式部を１カ月以上４カ月以下の範囲から選ばれる月数分に分冊化し、
前記分冊のうちから少なくとも当月の属する分冊子（７）を表紙（２）に着脱自在に綴じ込み設置して手帳体（Ａ）を構成し、
前記手帳体（Ａ）は月々の進行に合せて当月分冊子に綴じ替え維持ができるものであり、上記構成によって通年軽量化を実現したことを特長とした軽量化手帳である。【０００８】  前記請求項１における分冊子（７）を着脱自在に設置する綴じ込み手段が、紐、織物、鋼線、鋼鈑、樹脂板の中から選ばれる何れかの綴じ部材（６）を介することによって構成される綴じ具（１）の骨格部（８）を、表紙（２）と表紙カバー（５）の間に介在させ、前記表紙（２）を見開いた上に前記分冊子（７）を任意に見開いて重ね、前記綴じ部材（６）によって前記分冊子（７）のページの綴じ目部を押えてその端部を前記綴じ具（１）の下端係止部（４）に係止することで前記分冊子（７）を表紙（２）に綴じ込み固定するものであることを特長とした軽量化手帳である。
【発明の効果】
【０００９】  当面使用しない数カ月も先の予定ページ紙を一時的に除外することで手帳の軽量化を実現したことは極めて合理的な手段による成果であり、例えば当月の前後月と合せて３カ月分だけを常時使用形態にするならば、リフィールの差替え、組替えを繰り返すことで年間を通して軽量化が常態化するものとなり、その重量は四分の一程度までにも軽量化が実現した。【００１０】  本発明の軽量化実現は別の視点からも大きな効果を生む。すなわち、結果として記録面、つまり日々の割当てスペースを飛躍的に拡大する余地ができることである。
これは仮に３カ月分を常用する形態では四分の一程度までの軽量化となるが、二分の一の軽量化に留めれば余力分をスペース増に当てることが可能となり、軽量化とともに容量の増大化を実現した。【００１１】  小さな桝目に小さく書く形式が普通であった従来の手帳を、例えば１日／１ページを当てるなど手帳の企画設計において従来は不可能であったことを、大きく改善できる余地を提供するものとなった。このことによって新商品が提案される可能性を拡大したものである。【００１２】  測量の現場などで使用される野帳においては、紙面の消耗が比較的早いものであるが、このとき本発明手帳によるリフィールの取り替え供給システムを取り入れることで、不足紙の補充と使用済みリフィールの管理が容易となった。
【図面の簡単な説明】
【００１３】
【図１】本発明綴じ具の斜視図
【図２】本発明軽量化手帳の使用状態を示す斜視図
【図３】本発明軽量化手帳の分解斜視図
【発明を実施するための形態】
【００１４】  以下、本発明の実施の形態を図によって説明する。
図１の綴じ具（１）を、図３（ロ）に示す背表紙（２ａ）部に下方から配設するが、このとき上方に揺動係止部（３）を向け、下方に下端係止部（４）が来るよう方向付けて配設する。粘着テープなどの簡易手段で固定することも良い。
【００１５】  上記により綴じ具（１）を配設した表紙ができ上がり、この外側から表紙カバー（５）を着脱自在に設置して表紙体の体裁が確定する。綴じ部材（６）は図１に示すように、揺動係止部（３）で少なくとも着脱自在に係止する。
【００１６】手帳のページ紙１２カ月分を１〜４カ月分に分割した分冊子のうちから当面必要とする分冊子（７）を任意選択し、これを図３（ロ）、（イ）に示すように開いた表紙の上で見開いて重ね、図２に示すように綴じ目部の上端から下端までを綴じ部材（６）で押え、その端部を下端係止部（４）に係止固定して、分冊子（７）の表紙体への着脱自在に綴じ固定したものである。
【００１７】  綴じ部材（６）は鋼線によるものが使い勝手が良く、美麗性も高いが、紐などの廉価な素材を当てることは製造原価を削減できる利点がある。
【００１８】  仮に分冊子３冊を綴じる必要があれば別の押え部材を使って２冊を並べて綴じ込み手帳体の完成とすれば、この状態で当面不要な分冊子を一時除外した軽量化された手帳体の構成がなり、分冊子の使用が月々進む度に使用済みと次月の分冊子とを入替えや移動をさせて軽量化を維持するのである。これによって１２カ月間常時手帳の軽量化を実現した軽量化手帳が実現する。除外した分冊子は待機冊子として別途管理される。
【００１９】  本発明によるところの、厚みが極めて薄く、軽量である手帳が実現したものであるが、その一方で対極にあるとも言える部厚く重い所謂システム手帳がある。このシステム手帳との互換性も実現したもので、本発明手帳のリフィールに共通の綴じ孔を準備しておくことで、各種リフィールを随意にシステム手帳へ移動し管理下に編入することが可能となり、携行手帳と保存手帳として使い分けることで利便性が向上したものである。
【００２０】  先行技術文献として、特許文献１，を掲げるが、本発明のような分冊することによって軽量化を図るというものは存在がなかった。
【符号の説明】
【００２１】  １綴じ具、２表紙、２ａ背表紙、３揺動係止部、４下端係止部、５表紙カバー、６綴じ部材、７分冊子、８骨格、９表紙挿入部、Ａ手帳体。
【図１】
2015182458.tif 000003
【図２】
2015182458.tif 000004
【図３】
2015182458.tif 000005